(57)【要約】      （修正有）【課題】一枚の紙を折り曲げるだけで自立可能に形成されるフィンガーフード用容器であって、安定的に自立可能となるための脚を備えているフィンガーフード用容器を提供する。また、容器の設置場所、使用状況などに応じて開口部の向けを変えることが可能なフィンガーフード用容器を提供する。【解決手段】それぞれが折り目にて区分けされ直列的に配列される舌片領域、第一中央領域、底面領域、第二中央領域、前押さえ領域と、第一中央領域の両側に配置される第一接続領域と、第二中央領域の両側に配置される第二接続領域と、前押さえ領域の両側に配置される第一外側領域と、第二外側領域と、からなる紙状素材を折り曲げてなるフィンガーフード用容器。【選択図】図１
0003125075.tif 000002
【実用新案登録請求の範囲】
【請求項１】
それぞれが折り目にて区分けされ直列的に配列される舌片領域、第一中央領域、底面領域、第二中央領域、前押さえ領域と、第一中央領域の両側に配置される第一接続領域と、第二中央領域の両側に配置される第二接続領域と、前押さえ領域の両側に配置される第一外側領域と、第二外側領域と、からなる紙状素材を以下の工程で折り曲げてなるフィンガーフード用容器。
工程１：前記第一中央領域と、第二中央領域、並びに第一接続領域と第二接続領域とを、底面領域並びに第一接続領域と第二接続領域との境界にて折り曲げて重ね合わせる工程
工程２：重ね合わされた第一接続領域と第二接続領域とを重ね合わされた状態で第二中央領域に重なるように折り曲げる工程
工程３：前押さえ領域、第一外側領域、第二外側領域を折り曲げて重ね合わされた状態の第一接続領域の一部と、第二接続領域の一部にそれぞれの領域の他の部分が工程４で生成される容器側部曲線をまたいで重ならないように折り曲げて重ねる工程
工程４：重ね合わされた第一中央領域と、第二中央領域との間の隙間を拡大し、前記底面領域及び第一接続領域と第二接続領域の折り曲げ境界線で構成される峰を接地部位とする容器状に変形する工程
【請求項２】
第一接続領域と、第二接続領域は、前記工程３で重ね合わされる前押さえ領域、第一外側領域、第二外側領域に重ね合わされる部分と、それ以外の部分と、が切れ目で分離されており、前記それ以外の部分を第一中央領域側に略１８０度反転させることで、接地部位を第一中央領域側に移動できる請求項１に記載のフィンガーフード用容器。
【考案の詳細な説明】
【技術分野】
【０００１】
本件考案は、一枚の紙を折り重ねることによって形成されるフィンガーフード用容器に関する。
【背景技術】
【０００２】
従来、フライドポテト、からあげ、コロッケ等のフィンガーフードを収納する包装用容器は多種類のものが知られている。特に、かかる容器を紙を素材に折り紙で作ることが可能な容器が知られている（特許文献１参照）。
【特許文献１】実開昭６０‐１４２６８２
【考案の開示】
【考案が解決しようとする課題】
【０００３】
しかしながら、かかる容器にフードを入れた状態で店頭に展示したり、そこからじかに食べるために卓上に置いたりする場合には、自立可能な形状の容器とすることが必要であるが、紙だけでこのような容器を作ることは困難である。また、自立可能となるためにパルプを使用して容器を形成することも考えられるが、このためには、紙のみでなく各種の溶剤を使用することが必須となり、食品衛生上好ましくない。また、ピンやステープラーを用いて自立可能な形状にすることは、誤って口に入れると危険であり、やはり好ましくない。そこで、溶剤やピン等を使わずに一枚の紙を折り曲げるだけで自立可能に形成される容器が不可欠である。その際、食事中に容器が倒れて中のフードがこぼれたりしないよう、安定的に自立可能となるための脚を備えていることが望ましい。また、一口に容器を自立させるといっても、店頭でフードを入れた状態でディスプレイを行う場合や、卓上などに置いてそこからフードを取り出して食べる場合の位置は、状況により異なり得るので、これに応じて開口部の向きを変えられるようにすることが望ましい。例えば、店頭ディスプレイの場合であれば、顧客が見やすいように、高い位置に並べる場合は開口部が比較的前向きである方が望ましいし、一方低い位置に並べる場合は開口部が上向きである方が望ましい。また、卓上に置いて食べる時も、フードがこぼれて書類などを汚さないように少し遠くに置いて手を伸ばしてフードを取り出すようにする場合には、開口部が比較的前向きである方が取りやすくて便利である。
【０００４】
そこで、本考案の解決すべき課題は、一枚の紙を折り曲げるだけで自立可能に形成されるフィンガーフード用容器であって、安定的に自立可能となるための脚を備えているフィンガーフード用容器を提供することにある。また、容器の設置場所、使用状況などに応じて開口部の向けを変えることが可能なフィンガーフード用容器を提供することにある。
【課題を解決するための手段】
【０００５】
以上の課題を解決するため、本件考案のうち請求項１に記載の考案は、それぞれが折り目にて区分けされ直列的に配列される舌片領域、第一中央領域、底面領域、第二中央領域、前押さえ領域と、第一中央領域の両側に配置される第一接続領域と、第二中央領域の両側に配置される第二接続領域と、前押さえ領域の両側に配置される第一外側領域と、第二外側領域と、からなる紙状素材を以下の工程で折り曲げてなるフィンガーフード用容器を提供する。
工程１：前記第一中央領域と、第二中央領域、並びに第一接続領域と第二接続領域とを、底面領域並びに第一接続領域と第二接続領域との境界にて折り曲げて重ね合わせる工程
工程２：重ね合わされた第一接続領域と第二接続領域とを重ね合わされた状態で第二中央領域に重なるように折り曲げる工程
工程３：前押さえ領域、第一外側領域、第二外側領域を折り曲げて重ね合わされた状態の第一接続領域の一部と、第二接続領域の一部にそれぞれの領域の他の部分が工程４で生成される容器側部曲線をまたいで重ならないように折り曲げて重ねる工程
工程４：重ね合わされた第一中央領域と、第二中央領域との間の隙間を拡大し、前記底面領域及び第一接続領域と第二接続領域の折り曲げ境界線で構成される峰を接地部位とする容器状に変形する工程
また、請求項２に記載の考案は、第一接続領域と、第二接続領域は、前記工程３で重ね合わされる前押さえ領域、第一外側領域、第二外側領域に重ね合わされる部分と、それ以外の部分と、が切れ目で分離されており、前記それ以外の部分を第一中央領域側に略１８０度反転させることで、接地部位を第一中央領域側に移動できる請求項１に記載のフィンガーフード用容器を提供する。
【考案の効果】
【０００６】
本考案により、一枚の紙を折り曲げるだけで自立可能に形成されるフィンガーフード用容器であって、安定的に自立可能となるための脚を備えているフィンガーフード用容器を提供することが可能となる。また、容器の設置場所、使用状況などに応じて開口部の向きを変えることが可能なフィンガーフード用容器を提供することが可能となる。
【考案を実施するための最良の形態】
【０００７】
以下に、本考案の実施例を説明する。実施例と請求項の相互の関係については、実施例１は主に請求項１などに関し、実施例２は主に請求項２に関し、実施例３は主に請求項１、請求項２などに関し、実施例４は主に請求項１、請求項２などに関する。なお、本考案はこれら実施例に何ら限定されるものではなく、その要旨を逸脱しない範囲において、種々なる態様で実施しうる。
【実施例１】
【０００８】
<概要>
本実施例のフィンガーフード用容器は、折り目で一定の領域に区分された紙状素材を折り曲げて容器状に変形して形成するものであり、折り目のうち所定の折り曲げ境界線で構成される峰が接地部位となって容器が安定的に自立できるように構成される点に特徴を有する。
【０００９】
<構成>
（容器の概要・特徴）
図１は、本実施例のフィンガーフード用容器の形状・構造の一例を示す斜視図である。本例のフィンガーフード用容器（以下単に「容器」という。）０１００は、この図に示すような袋状部分（後述のように中央領域及び接続領域によって囲まれ、底面領域によって底が形成される空間）０１１０を有する容器であり、開口部分０１２０を経由して袋状部分の内部にフィンガーフードを詰め、あるいはそこからこれを取り出して食べることができるような容器である。本考案において「フィンガーフード」とは、指でつまんで食べられる程度の大きさを有する食べ物をいい、からあげ、えびあげ、フライドポテト、コロッケ、ハンバーガー、チョコレート、プチパン、ドーナツ類、菓子類などが該当する。また、本容器は、袋状部分の後面（第一中央領域）の上に連なる舌片状の後背部分（舌片領域）０１３０を有するとともに、袋状部分の前面（第二中央領域）０１４０はその上の方の部分が折り返されることによって形成された前押さえ部分（前押さえ領域）０１５０を有している。さらに、本実施例の容器の最大の特徴は、側面（接続領域）０１６０（図には右側面のみ表れているが、図に現れない左側面も含む。）が前面より前に張り出した張出部分０１７０を有しており、この張出部分の峰０１８０が接地部位となって、いわばこの張出部分を脚として容器自身が安定的に自立できるように構成した点にある（なお、０１９０は、水平方向を表すために示した容器設置台である。）。
この容器は、一枚の紙状素材を折り曲げて形成される。「紙状素材」とは、典型的には紙であり、容器として形成された状態でフィンガーフードを保持できるだけの強度を有し、かつフィンガーフードと接触してもフィンガーフードを安全に食べられるよう、油分や水分で変質したり、溶けたり、化学反応を起こして有害になったりという弊害を生じない紙をいう。また、上記の弊害を生じないよう紙の表面（両面又は片面）にビニール等でコーティングしたものでもよい。ただし、以上のような機能・弊害回避に適う限り紙以外の素材でもよく、例えば、ビニール、プラスティックフィルム、木、竹などであって上記の機能・弊害回避に適うものも含まれる。
【００１０】
（紙状素材の形状及び各部の名称）
次に、かかる容器を形成するための紙状素材の形状及び各部の名称について説明する。図２は、かかる紙状素材の形状の一例を示す。本図に示すように、この紙状素材は左右対称の１枚の紙状素材であって、破線で示す折り目で、便宜上（１）から（２４）まで番号を付した２４個の区画に区分けされる。この区画も左右対称に配置される。後述するように、この素材を折り曲げて容器を形成する際には、この折り目に沿って折り曲げがなされ、折り曲げがなされない折り目はなく、また折り目以外で折り曲げがなされることもない。なお、折り目には、折り曲げを容易にするために貫通穴やエンボスを用いたミシン目を入れてもよい。
図３は、図２と同じ例を用いて、紙状素材の各部の名称を説明するための図である。
【００１１】
本図に示すように、当該紙状素材の中央部分には、舌片領域０３０１、第一中央領域０３０２、底面領域０３０３、第二中央領域０３０４、前押さえ領域０３０５が直列的に配列される。前押さえ領域の形状は、本例では切欠き部分を有するがこれはなくてもよい。第一中央領域の両側には一対の第一接続領域０３０６が配置される。第二中央領域の両側には一対の第二接続領域０３０７が配置される（以後の記載において、第一接続領域と第二接続領域を合わせて単に「接続領域」ということがある）。前押さえ領域の両側には第一外側領域０３０８と第二外側領域０３０９とが配置される。なお、本図では第一外側領域を左側に、第二外側領域を右側に配置しているが、この配置は逆でもよい。これらの領域のそれぞれは、図２で説明した区画の少なくとも一を区画単位で含む。換言すれば、一の区画が二以上の領域にまたがって含まれることはない。従って、領域の境界をなす折り目（図３で破線で示す）はすべて区画の境界をなす折り目でもある（区画の境界をなす折り目は領域の境界をなす折り目とならない場合もある）。具体的には、図２、図３を比較すれば明らかなように、舌片領域は（１）（の区画）、第一中央領域は（２）、底面領域は（３）及び（４）、第二中央領域は（５）、前押さえ領域は（６）、一対の第一接続領域は（７）〜（１０）及び（１１）〜（１４）、一対の第二接続領域は（１５）〜（１８）及び（１９）〜（２２）、第一外側領域は（２３）、第二外側領域は（２４）に一致する。
なお、図２、図３で示した紙状素材の形状は一例であり、かかる折り目にて上の区画、領域に区分可能な形状であれば、その具体的形状は、フィンガーフードの形状等に応じて適宜設計可能である。ただし、容器に形成したときに接続領域の一部（上記の区画（８）、と（１５）及び（１４）と（２１））が張り出した部分となり、その峰（区画（８）と（１５）の境界をなす折り目及び区画（１４）と（２１）の境界をなす折り目）が接地部位となって、この張り出した部分を脚として容器自身が安定的に自立できるように、各領域及び折り目が配置されたものである必要がある。図２、図３はまさにこのように形成可能な一例を示すものであるが、このように条件に適うために各領域及び折り目が抽象的にどのように配置されていなければならないかについては、以下の折り曲げの工程の説明中で述べる。
【００１２】
（工程１）
そこで、図２、図３に示した紙状素材を折り曲げて容器を形成するための工程について、順次説明する。まず、工程１について図４、図５を用いて説明する。図４は図２、図３と同じ状態、つまり折り曲げる前の状態を示す。工程１は、第一中央領域０４０２と第二中央領域０４０４、並びに第一接続領域０４０６と第二接続領域０４０７とを、底面領域０４０３の中央並びに第一接続領域と第二接続領域との境界を貫く直線０４１０（太一点鎖線で示す）にて折り曲げて重ね合わせる工程である。図５は当該直線０５１０にての折り曲げが谷折りにより行われ、第二中央領域０５０４が第一中央領域（図には現れない）の手前側に（表側に）、第二接続領域０５０７が第一接続領域（図には現れない）の手前側にそれぞれ重ね合わされた状態を示す。このときの折り曲げ方向は原則として山折り、谷折りどちらでもよい。図６は、参考までに、当該直線０６１０にて山折りがなされた場合の折り曲げ後の状態を示し、第一中央領域０６０２、第一接続領域０６０６がそれぞれ手前に重ね合わされた状態になっていることを示す。ただし、折り曲げた結果外側に現れる面が容器を形成したときの外面となるので、紙上素材に裏表がある場合、例えば、内面に既述のコーティングを施してあったり、外面に商品名やパッケージデザインを表したりしている場合は、必ず内面を表側にした状態で谷折り（あるいは外面を表側にした状態で山折り）する。
【００１３】
（工程２）
次に、工程２について図７から図１０までを用いて説明する。図７は図５に示したように工程１が完了した状態、即ち、工程２の折り曲げ前の状態を示す。工程２は、この状態に対し、重ね合わされた第一接続領域（図には現れない）と第二接続領域０７０７とを重ね合わされた状態で第二中央領域０７０４に重なるように折り曲げる工程であって、本図の例では折り曲げ線０７１１（太一点鎖線で示す）で折り曲げる工程である。「第二中央領域に重なるように折り曲げる」とは、接続領域が、第一中央領域ではなく第二中央領域に直接重なるように、第二中央領域を表側にした状態で谷折りするという意味である。図８は、折り曲げ中の状態で、左右一対の重ね合わされた第二接続領域及び第一接続領域のうち、まず左側の第二接続領域（図には現れない）及び第一接続領域０８０６だけが折り曲げられた状態を示す。なお当該左右一対の領域の折り曲げた順序は問わないので、右側が先でもよく、両側を同時に折り曲げてもよい。図９は両側の第二接続領域（図には現れない）及び第一接続領域０９０６がともに折り曲げられて工程２が完了した状態を示す。
【００１４】
このように、接続領域が重ね合わされた状態で第二中央領域に重なるように折り曲げられる結果、図１０に示すように、工程２完了状態において第一接続領域の一部である領域部分１００６ａ（斜線で示す）とその向こう側（裏側）に境界線を介して折り曲げられた第二接続部分の一部の領域部分（図には現れない）とが第二中央領域１００４（便宜上本来図には表れない本領域の左右の境界を破線で表す）上に重なった状態となる。このような重なり合い部分が生じるように折り曲げることで、容器として形成したときに当該外領域部分１００６ａが容器の前面より前に張り出した張出部分となり、接続領域の境界線１０１２（太実線で示す）で構成される峰が接地部位として現れることが可能となる。平たく言えば、この重なり合い部分１００６ａが容器として形成したときに脚になる部分であり、これによって容器が安定的に自立できるものとなる。容器として形成するときに峰が接地部位として現れて脚が形成されるという構成の詳細については、工程４の説明中で詳述する。
本例でこの重なり合い部分となるのは、図２に示す区画（８）と（１５）、及び（１４）と（２１）であり、区画（８）と（１４）は、図１０で第一接続領域の一部である領域部分１００６ａとして現れており、区画（１５）と（２１）はそれぞれ（８）、（２１）の向こう側（裏側）に境界線を介して折り曲げられた状態になっている。従って、（８）と（１５）との境界線及び（１４）と（２１）との境界線が峰になる部分として図１０に示した１０１２の太実線に現れていることになる。また、このように第一中央領域と接続領域が重なり合う部分が現れるようにするため、工程２の折り曲げ線は図２で示す区画（９）と（１０）との境界線及び区画（１１）と（１２）との境界線に設定されている。本例と異なり適宜の設計により紙状素材を別の形状とする場合にも、工程１の折り曲げにより重ね合わされた第一接続領域と第二接続領域とを第二中央領域側に折り曲げる際に接続領域の一部が第二中央領域に重なるように折り曲げるようにする必要がある。このため、本実施例の容器を形成するための紙状素材は、折り曲げたときにこのような重なり合い部分が生じるような位置に折り曲げ線を設定する必要がある。つまり、適宜の設計は、この要件を満たす範囲内でのみの自由設計となる。本工程にいう「重ね合わされた第一接続領域と第二接続領域とを重ね合わされた状態で第二中央領域に重なるように折り曲げる」とは、かかる観点から折り曲げ方法・折り曲げ位置を明確化することで形成された容器の形状を限定・明確化するための概念である。
【００１５】
（工程３）
次に、工程３について図１１から図１４までを用いて説明する。図１１は図９、図１０に示したように工程２が完了した状態、即ち、工程３の折り曲げ前の状態を示す。工程３は、この状態に対し、前押さえ領域１１０５、第一外側領域１１０８、第二外側領域１１０９を、重ね合わされた状態の第一接続領域の一部１１０６ｂ（右上がり斜線で示す）と第二接続領域の一部（図には現れない）にそれぞれの領域の他の部分１１０６ｂ（左上がり斜線で示す）が工程４で生成される容器側部曲線１１１３をまたいで重ならないように折り曲げて重ねる工程であって、本図の例では折り曲げ線１０１２（太一点鎖線で示す）で折り曲げる工程である。「容器側部曲線」とは、工程４で容器の形に形成した時に、容器の側面と前面を画する曲線をいう。図１に０１６１で示す曲線（及び図には現れないがこれと左右対称の位置にある曲線）、図３で第二中央領域０３０４と第二接続領域０３０７との境界として示される２個の曲線がこれに該当する。図１２は前押さえ領域１２０５、第一外側領域１２０８、第二外側領域１２０９が折り曲げ線１２１２で谷折りにより折り曲げられて工程３が完了した状態を示す。
ここで「前押さえ領域、第一外側領域、第二外側領域を折り曲げて重ね合わされた状態の第一接続領域の一部と、第二接続領域の一部にそれぞれの領域の他の部分が工程４で生成される容器側部曲線をまたいで重ならないように折り曲げて重ねる」ことの意義について説明する。これは、工程２で現れた第一接続領域・第二接続領域の一部の領域部分が第二中央領域に重なり合う部分、即ち図９で０９０６ａで示した部分（以下本段落において「張出部分」という。これは図１で示した「張出部分」０１７０と同義である）が、次の工程４で容器を形成する際に、前押さえ部等に押さえつけられて前面に接触したままの状態となることなく、前面前方に張り出すことが可能になるようにするための構成である。張出部分が前面前方に張り出している状態とは、図１で示したように、張出部分０１７０が側面０１６０と同一平面をなし、側面の前方の延長面上に展張されている状態をいう。
このような状態を実現できるために工程３完了時において各領域の重なり合い関係がどのような状態になっている必要があるかについて、図１３を用いて説明する。本図は、図１２と同様、工程３が完了した状態を示す図であって、さらに、上の点を説明するために容器側部曲線、張出部分等を示したものである。図中太実線で示す１３１３は容器側部曲線、太実線（一部太破線）で示す略矩形から左側の一部を略三角形状に切り取ったような部分１３０６は、第二接続領域の一部であって、図３で示した一対の第二接続領域０３０７のうちの右側の領域から、図２で示した区画（１９）を除いた部分に当たる（破線は前押さえ領域１３０５の裏側（下側）にあるので本来は見えない線であることを表す）。なお、説明の前提として以下の３点を挙げておく。（１）本図では煩雑さを避けるため右側部分のみについて説明し、左側部分の説明は左右対称であることから全く同一の説明となるので省略する。（２）また、上で示した部分１３０６は第二接続領域の一部である図２の区画（１９）を欠くが、区画（１９）は本図に示すように裏側に回り込んでいる部分であるため前押さえ領域、第一外側領域、第二外側領域との重なり合いはそもそも問題とならないので、ここでの説明から除外する。（３）さらに、ここでの説明対象は本来「重ね合わされた状態の第一接続領域の一部と第二接続領域の一部」であるが、第二接続領域から区画（１９）が除かれた結果、第二接続領域の上記部分１３０６はその内側の第一接続領域の部分とぴったり重なることとなる（図２の区画（１２）、（１３）、（１４）と（２０）、（２１）、（２２）を参照）。つまり、第二接続領域は容器側部曲線をまたいでいないがその内側の第一接続領域は当該曲線をまたいでいるといった事態は起こりえないから、ここでは第二接続領域についてのみ説明することで本工程の説明として十分であるのでそうする。
ここで、説明の便宜上この部分１３０６をさらに容器側部曲線によって３個の部分（ａ）、（ｂ）、（ｃ）に区分する。このうち（ｃ）は第二接続領域が容器側部曲線をまたいでいる部分（「またいでいる」とは本図では矢印Ａ方向に、即ち側面側から中央側に越境しているという意味である。）、（ｂ）はまたいでいない部分である。なお、（ａ）は形式的にはまたいでいる部分に見えるが、本工程にいう「またいでいる」部分には該当しない。それは、一旦またいではいるものの、（ｃ）に接する前にその外辺を形成する線が容器側部曲線まで引き返しており、しかも容器側部曲線に引き返した位置、即ち（ｃ）の頂点をなす位置（図１３において１３１４で示すポイント）が前押さえ領域、第一外側領域、第二外側領域と重なり合っていない（本例のように前押さえ領域等の外辺上にある場合は重なり合っていないことになる）からであるが、このことの具体的意味については後述する。そこで、（ｂ）、（ｃ）のみを対象として前押さえ領域、第一外側領域、第二外側領域との重なり合い関係を見ると、重なり合っているのは、その一部である（ｂ１）（第二外側領域の外辺１３０９ａより上方の部分）が重なり合っている（ｂ）のみであり、（ｃ）は重なり合っていない。つまり、この例のように前押さえ領域、第一外側領域、第二外側領域と重なり合う部分（ｂ）が容器側部曲線をまたいで重なり合っていない（（ｂ２）部分はすべて当該曲線をまたがない側に収まっている）場合は、本工程にいう「前押さえ領域、第一外側領域、第二外側領域を折り曲げて重ね合わされた状態の第一接続領域の一部と、第二接続領域の一部にそれぞれの領域の他の部分が工程４で生成される容器側部曲線をまたいで重ならないように折り曲げて重ねる」ことに該当する。
【００１６】
このことの意味を補足するため図１４に好適でない例を示したので、図１３と比較しながら説明する（図１４は説明の便宜上関連部分のみを示す）。図１４（ａ）の例は、図１３と異なり、容器側部曲線１４１３より左側の部分が一つの部分（ａ）だけの場合である。このようになるのは、図１３のように部分（ａ）の外辺を形成する線が容器側部曲線まで引き返していないためである。この場合は、（ａ）部分、（ｂ）部分ともに前押さえ領域又は第二外側領域との重なり合いがあり（それぞれ（ａ１）、（ｂ１）の部分で重なり合っている）、しかも（ａ）部分は、（ａ１）部分において容器側部曲線１４１３をまたいで前押さえ領域１４０５と重なり合っている。このような形状のものを工程４に従って容器の形に変形しても、（ａ１）部分が前押さえ領域に押さえつけられているため、（ａ２）部分も前面に接触したまま前方に張り出すことができない。このように本例は、本工程の折り曲げ要件に該当しない好適でない例となる。
図１４（ｂ）は別の好適でない例を示す。本例は、図１３と同様、（ａ）部分の外辺を形成する線が容器側部曲線まで引き返しているので、（ａ１）部分については図１３同様本工程への適合の妨げとならない。しかし、図１３と異なり、当該外辺が容器側部曲線に引き返した位置１４１４が前押さえ領域１４０５・第二外側領域１４０９と重なり合っている。このため、再び容器側部曲線をまたいだときに（ｃ）部分の一部（ｃ１）部分が前押さえ領域と重なり合っている。このような形状のものを工程４に従って容器の形に変形しても、（ｃ１）部分が前押さえ領域に押さえつけられているため、（ｃ２）部分も前面に接触したまま前方に張り出すことができない。このように本例も、本工程の折り曲げ要件に該当しない好適でない例となる。
ところで、先に触れたように、接続領域の張出部分以外の部分が容器側部曲線をまたいで重なるように折り曲げられた場合でも、張出部分を前面前方に張り出すことが可能な場合がある。図１３において、（ａ）部分がこのような部分に該当すると述べたのはこの趣旨である。そこで、図１３に戻って、この点について詳述する。この例では、接続領域の一部である（ａ）部分が容器側部曲線をまたいで前面で前押さえ領域１３０５の内側に入っている。しかし、接続領域がその下側（（ｃ）部分側）で容器側部曲線の位置１３１４まで一旦引き返し（本例は容器側部曲線上まで引き返しているが、これを再び逆にまたいで側面側まで引き返してもよい）、その後再び前面側に張り出しており、しかも、再び容器側部曲線の位置より前面に張り出した位置でこの張出部分である（ｃ）部分の外辺と前押さえ領域１３０５の外辺１３０５ａとが重なることはない。換言すれば、（ｃ）の外辺の頂点である１３１４の点（側面側まで引き返した場合は（ｃ）の外辺が容器側部曲線と交叉する点）が前押さえ領域の内側に重ねられた状態にはなっていない。かかる場合は、（ｃ）部分の外辺が前押さえ部に妨げられることなく張り出すことが可能であるから、本実施例の容器として好適である。同様に、接続両域が複数回にわたって引き返し、再張り出しを繰り返したとしても、最後の張出部分（即ち、設置部位を有する張出部分の頂点が）の外辺と前押さえ部の外辺とが重なることがなければ、やはり好適な例となる。
他方、本例の形状とは異なり、はじめから図２に示す各区画のうち（７）、（１３）、（１６）、（２２）がない形状の紙状素材を折り曲げて容器を形成してもよい。この場合、図１３に相当する状態では、（ａ）部分を欠くこととなるので、第二接続領域が容器側部曲線をまたいでいる部分で前押さえ領域等と重なり合うことのない典型的な場合となる。
【００１７】
以上を要するに、本工程にいう「それぞれの領域の他の部分が工程４で生成される容器側部曲線をまたいで重ならないように折り曲げて重ねる」とは、文字通り「重ね合わされた状態の第一接続領域及び第二接続領域が、容器側部曲線をまたいだ位置で前押さえ領域・第一外側領域・第二外側領域に重ならない」ということを意味するとともに、仮に重ね合わされた状態の第一接続領域及び第二接続領域が、容器側部曲線をまたいだ位置で前押さえ領域・第一外側領域・第二外側領域に重なる場合でも、この外辺が一回又は複数回にわたって容器側部曲線まで（あるいはこれを越えて側面まで）引き返した後に、張出部分の外辺が前押さえ領域の外辺に重ねらないことを意味する。図１３に示した例では、図２、図３に示す折り曲げ線、領域がこのような好適な構成になるように設定されているが、本例と異なり適宜の設計により紙状素材を別の形状とする場合にも、工程３の折り曲げはかかる要件を満足するように折り曲げる必要があり、このため、本実施例の容器を形成するための紙状素材は、折り曲げたときにこのような重なり合い関係となるように折り曲げ線及び領域の形状を設定する必要がある。つまり、適宜の設計は、この要件を満たす範囲内でのみの自由設計となる。本工程にいう「それぞれの領域の他の部分が工程４で生成される容器側部曲線をまたいで重ならないように折り曲げて重ねる」とは、かかる観点から折り曲げ方法・折り曲げ位置を明確化することで形成された容器の形状を限定・明確化するための概念である。
【００１８】
（工程４）
次に、工程４について図１５、１６を用いて説明する。工程４により変形がなされる前の状態、即ち工程３が完了した状態は、図１２に示したとおりである。工程４は、この状態に対し、重ね合わされた第一中央領域１２０２と第二中央領域１２０４との間の隙間を拡大し、前記底面領域１２０３及び第一接続領域と第二接続領域の折り曲げ境界線で構成される峰１２１２を接地部位とする容器状に変形する工程である。
図１５、１６は、この工程の各過程を説明するための図である。まず図１５（ａ）は、図１２の状態に対して重ね合わされた第一中央領域１５０２と第二中央領域１５０４との間の隙間を少し拡大した状態を示す。この隙間の拡大は、第一中央領域を矢印Ａ方向、第二中央領域を矢印Ａ´方向に前後に広げるようにしながら、左右の接続領域１５０６のそれぞれの工程２における折り目１５１１を内側に（矢印Ｂ、Ｂ方向に）押すようにする。すると、この折り目１５１１より第二中央領域寄りの部分１５０６ａと同一平面をなしている当該部分の一部である張出部分１５７０（斜線で示す）が、第二中央領域に重ねられた状態から矢印Ｃ、Ｃ´方向に回転しながら前方に向かって直立していく。そして、図１５（ｂ）に示すように、前記の折り目１５１１をその両側に位置する接続領域１５０６ａ、ｂが一の平面になるところまで押すと、張出部分が第二中央領域に対して完全に直立する。次に、底面領域１５０３の、第一中央領域との境界をなす折り目（図には現れない）及び第二中央領域との境界をなす折り目１５１５で折り曲げるとともに、底面領域の中央を通る折り曲げ線１５１６での折り曲げを解消して底面領域を一の面（曲面）にする。この動作は図１６に示す要領でなされる。図１６（ａ）は、図１５（ｂ）の状態を概ね下方向から見たものである。１６１６は底面領域１６０３の中央を通る折り曲げ線、１６１５（一点鎖線で示す）は底面領域と第二中央領域１６０４の境界をなす折り目、１６１５（破線で示す）は、本来は見えないが、第一中央領域（図には現れない）との境界をなす折り目の位置を示す。なお、接続領域中張出部分は便宜上図示を省略してある。そこで、この折り曲げ線１６１６を矢印Ａ方向に押すと、図１６（ｂ）に示すように底面領域１６０３が凹む形で一の面（曲面）になると同時に第一・第二中央領域との境界をなす折り目１６１５での折り曲げがなされる。この結果、図１に示したような本実施例の容器が完成する。
なお、この張出部分０１７０は、容器側部曲線（図１に０１６１で示す曲線及び図には現れないがこれと左右対称の位置にある曲線）で第二中央領域０１４０に重ね合わせるように折り畳むことができるように構成されている。その際、折り畳みが容易なように、容器側部曲線に沿ってミシン目などを入れてもよい。これにより、例えばフィンガーフードの購入客が、持ち帰る際には脚部分が邪魔にならないように折り畳んだ状態とし、食べる際には再び脚部分を張り出させて容器を自立させてそこからフードを取り出して食べるといったことが可能となる。
以上のように、本実施例の容器は、溶剤やピン等を使わずに一枚の紙を折り曲げるだけで自立可能に形成されるように構成されるものである。
【００１９】
<効果>
本実施例により、一枚の紙を折り曲げるだけで自立可能に形成されるフィンガーフード用容器であって、安定的に自立可能となるための脚を備えているフィンガーフード用容器を提供することが可能となる。
【実施例２】
【００２０】
<概要>
本実施例の容器は、実施例１の容器と基本的に共通するが、接続領域の一部が切れ目で分離されており、張出部分を反転させて接地部位が後面側に現れるようにして容器を自立させることを可能にした点に特徴を有する。
【００２１】
<構成>
（容器の概要・特徴）
図１７は、本実施例の容器の形状・構造の一例を示す斜視図である。本例の容器は、実施例１の容器と基本的に共通する。ただし、図１７（ａ）に示すように、本例の容器１７００は、側面（接続領域）の一部、具体的には第一外側領域（図には現れない）又は第二外側領域１７５１などと重ね合わされる部分とそれ以外の部分とが切れ目１７６２で分離されている。このため、張出部分１７７０を接続領域の中央を底面領域の両端まで縦に貫く直線１７１７（この線の具体的位置については次の紙状素材の説明で述べる）を回転軸として後方へ１８０度折り返すことができ、張出部分が後方に張り出した形で容器を自立させることができる。図１７（ｂ）は、かかる状態を示す。このとき、接続領域の中央を縦に貫く線１７１７は、垂直ではなく、図１７（ａ）では前方に少し傾いた角度になっているため、図１７（ｂ）では逆に後方に少し傾いた角度となり、開口部１７２０の向きが図１７（ａ）ではやや前向き、図１７（ｂ）では真上向きないしやや後向きと、微妙に変化することが可能な形状となっている。これは、容器の配置場所や使用状況に応じて望ましい開口部の向きが微妙に異なり得るので、これに対応できるようにすることを目的とする。
【００２２】
（紙状素材の形状）
図１８は、本実施例の容器を形成するための紙状素材の形状の一例を示す。本例の紙状素材は、実施例１について図２に示したものと基本的に共通する。ただし、本例の紙状素材は、接続領域の一部に切れ目１８６２が入っている。この切れ目は、図１８に示すように、容器に形成したときに張出部分となる区画（１４）の上端となる点１８７１を起点として、図７等に示した工程２の折り曲げ線０７１１となる線１８１１まで貫通する直線である。即ち、この直線１８１１が図１７で示した接続領域の中央を底面領域の両端まで縦に貫く直線にあたる。ただし、容器として形成したときにこの切れ目が前押さえ部分、第一外側領域、第二外側領域のいずれかの内側に重ね合わされない位置であることが条件である。なお、本図では右上部分に現れる切れ目に関してのみ説明したが、これと左右・上下・点対称の位置に現れる切れ目についても、上と同様であるので、説明を省略する。
【００２３】
（工程）
【００２４】
これを実施例１と同様の工程で折り曲げると、工程３完了時には、図１９に示すように、実施例１の工程３完了時である図１２に切れ目１９６２が入った形となる。これを工程４により容器の形に変形すれば、図１７に示したものとなる。
【００２５】
<効果>
本実施例により、容器の設置場所、使用状況などに応じて開口部の向けを変えることが可能なフィンガーフード用容器を提供することが可能となる。
【実施例３】
【００２６】
<概要>
本実施例の容器は、実施例１又は２の容器と基本的に共通するが、舌片領域に小舌片を、前押さえ領域に切欠きを有し、舌片領域を前記袋状領域の開口部に覆いかぶせ、小舌片を切欠きを介して前押さえ領域と第二中央領域の隙間に挿入、係止することで蓋を形成できる点に特徴を有する。
【００２７】
<構成>
本実施例の容器は、図２０に一例を示す紙状素材を折り曲げて形成される。これは図３に示したものと基本的に共通するが、舌片領域２００１に小舌片２００１ａを有し、前押さえ領域２００５に切欠き部２００５ａを有する。この小舌片は、略円弧上の切れ目２００１ｃを有し、折り目２００１ｂ（破線で示す）で折り曲げ可能となっている。なお、第一中央領域の小舌片２００２ａはなくてもよい。また、本例は実施例２と同様の切れ目２０６２を有している例を示したが、この切れ目はなくてもよい。この結果、これを工程１〜４に従って折り曲げ、容器状に変形すると、図２１（ａ）に示すような、図１と基本的に同様であるが、小舌片２１０１ａと切欠き２１０５ａ（図１と異なり必須）を有する容器となる。２１０１ｂは図２０の２００１ｂにあたる折り目、２１０１ｃは図２０の２００１ｃにあたる略円弧上の切れ目である。そこで、この舌片領域２１０１を袋状領域の開口部に覆いかぶせ、小舌片を切欠きを介して前押さえ領域と第二中央領域の隙間に挿入、係止することで、図２１（ｂ）に示すような蓋を形成できる。図２１（ｂ）においては、小舌片と切欠きによる係止状態を説明するため、蓋である舌片領域２１０１に覆われている前押さえ部２１０５の切欠き２１０５ａのうち、蓋の内側となって本来見えない部分等を破線２１０５ａ´で示した。この状態においては、小舌片２１０１ａは折り目２１０１ｂでやや内側に（山折り方向に）折り曲げられて前押さえ領域２１０５と第二中央領域２１０４の隙間に挿入されて係止されている。２１０１ｃは略円弧状の切れ目であり、その下に僅かに見えている部分が前押さえ領域２１０５である。この部分では、その下に見えている小舌片２１０１ａが前押さえ領域の内側（裏側）（即ち前押さえ領域と第二中央領域の隙間）に入り込んでいるためこのように見える。
【００２８】
<効果>
本実施例により、容器の蓋を形成できるので、衛生的である。
【実施例４】
【００２９】
<概要>
本実施例の容器は、実施例１から３のいずれか一の容器と基本的に共通するが、第一中央領域に小舌片を有し、容器を壁に設けたフックなどに引掛けることができるようにした点に特徴を有する。
【００３０】
<構成>
本実施例の容器も、図２０に一例を示す紙状素材を折り曲げて形成される。これは図３に示したものと基本的に共通するが、第一中央領域に小舌片２００２ａを有する。なお、舌片領域の小舌片及び前押さえ領域の切欠き部はなくてもよい。また、図示は省略したが実施例２と同様の切れ目を有していてもよい。この結果形成される容器は後面に小舌片を有することになるので、容器を壁に設けたフックなどに引掛けることができる。
【００３１】
<効果>
本実施例により、後面に小舌片を有し、壁に設けたフックなどに引掛けることができる容器を提供することができるので、店頭ディスプレイに利用したり、食事の際に壁に掛けた容器から取り出して食べることなどが可能となる。
【図面の簡単な説明】
【００３２】
【図１】実施例１のフィンガーフード用容器の形状・構造の一例を示す斜視図
【図２】実施例１のフィンガーフード用容器を形成するための紙状素材の形状の一例を示す図
【図３】実施例１のフィンガーフード用容器を形成するための紙状素材の各部の名称を説明するための図
【図４】実施例１のフィンガーフード用容器を形成するための紙状素材を折り曲げる工程１を説明するための図
【図５】実施例１のフィンガーフード用容器を形成するための紙状素材を折り曲げる工程１を説明するための図
【図６】実施例１のフィンガーフード用容器を形成するための紙状素材を折り曲げる工程１を説明するための図
【図７】実施例１のフィンガーフード用容器を形成するための紙状素材を折り曲げる工程２を説明するための図
【図８】実施例１のフィンガーフード用容器を形成するための紙状素材を折り曲げる工程２を説明するための図
【図９】実施例１のフィンガーフード用容器を形成するための紙状素材を折り曲げる工程２を説明するための図
【図１０】実施例１のフィンガーフード用容器を形成するための紙状素材を折り曲げる工程２を説明するための図
【図１１】実施例１のフィンガーフード用容器を形成するための紙状素材を折り曲げる工程３を説明するための図
【図１２】実施例１のフィンガーフード用容器を形成するための紙状素材を折り曲げる工程３を説明するための図
【図１３】実施例１のフィンガーフード用容器を形成するための紙状素材を折り曲げる工程３を説明するための図
【図１４】実施例１のフィンガーフード用容器を形成するための紙状素材を折り曲げる工程３を説明するための図
【図１５】実施例１のフィンガーフード用容器を形成するための紙状素材を折り曲げる工程４を説明するための図
【図１６】実施例１のフィンガーフード用容器を形成するための紙状素材を折り曲げる工程４を説明するための図
【図１７】実施例２のフィンガーフード用容器の形状・構造の一例を示す斜視図
【図１８】実施例２のフィンガーフード用容器を形成するための紙状素材の形状の一例を示す図
【図１９】実施例２のフィンガーフード用容器を形成するための紙状素材を折り曲げる工程を説明するための図
【図２０】実施例３、実施例４のフィンガーフード用容器を形成するための紙状素材の形状の一例を示す図
【図２１】実施例３のフィンガーフード用容器の形状・構造の一例を示す斜視図
【符号の説明】
【００３３】
０１００      フィンガーフード用容器
０１１０      袋状部分
０１２０      開口部分
０１３０      袋状部分の後面の上に連なる舌片状の後背部分
０１４０      袋状部分の前面
０１５０      前押さえ部分
０１６０      側面
０１７０      張出部分
０１８０      張出部分の峰
０１９０      容器設置台
【図１】
0003125075.tif 000003
【図２】
0003125075.tif 000004
【図３】
0003125075.tif 000005
【図４】
0003125075.tif 000006
【図５】
0003125075.tif 000007
【図６】
0003125075.tif 000008
【図７】
0003125075.tif 000009
【図８】
0003125075.tif 000010
【図９】
0003125075.tif 000011
【図１０】
0003125075.tif 000012
【図１１】
0003125075.tif 000013
【図１２】
0003125075.tif 000014
【図１３】
0003125075.tif 000015
【図１４】
0003125075.tif 000016
【図１５】
0003125075.tif 000017
【図１６】
0003125075.tif 000018
【図１７】
0003125075.tif 000019
【図１８】
0003125075.tif 000020
【図１９】
0003125075.tif 000021
【図２０】
0003125075.tif 000022
【図２１】
0003125075.tif 000023